【事件の表示】
　平成　６年特許願第１７０７８５号「磁気ディスク装置」拒絶査定不服審判事件〔平成　８年　２月　６日出願公開、特開平　８−　３６７２５〕について、次のとおり審決する。
【結　論】
　本件審判の請求は、成り立たない。
【理　由】
１　手続の経緯、本願発明
　本願は、平成６年７月２２日の出願であって、その請求項１ないし２に係る発明は、平成１５年１０月２０日付け手続補正書により補正された明細書及び図面の記載からみて、本願特許請求の範囲の請求項１ないし２に記載されたとおりのものであるところ、その請求項２に記載された発明（以下、「本願発明」という。）は次のとおりである。
　「【請求項２】基端側を回転自在に支持された支持アームの先端に再生ヘッドと記録ヘッドを別個に設け、上記支持アームの回転で上記再生ヘッドと上記記録ヘッドをディスクの略半径方向に移動し、このディスクに記録されたサーボ信号を上記再生ヘッドにてピックアップし、このピックアップしたサーボ信号に応じて上記支持アームの回転位置を移動してトラックサーボを行う磁気ディスク装置において、
　上記再生ヘッドの出力信号を基に少なくとも１箇所の半径位置でＣＲＣ符号付きの特定のディジタル信号の書き込みを行なったのち、上記再生ヘッドを半径方向に所定量オフセットさせながら上記データを読出してＣＲＣエラーを測定することで、上記半径位置における再生ヘッドの書き込み／読み出しのオフセット量を検出するオフセット検出手段と、
　上記オフセット検出手段により得られた複数のオフセット値を直線近似して得られた値に基づいてオフセット値を求めるオフセット演算手段と、
　上記オフセット演算手段の演算結果を基に書き込み又は読み出し時のトラック位置を補正するトラック位置補正手段と
　を有することを特徴とする磁気ディスク装置。」
　
２　引用例
　原査定の拒絶の理由で引用された特開平５−２２５５０９号公報（以下「引用例１」という。）には、次の事項が記載されている。
　（ア）「【請求項４】
　請求項１ないし請求項３のいずれか１項記載の磁気ディスクを用い、記録用ヘッドと再生用ヘッドを分離して構成した複合ヘッドを使用して磁気記録、再生を行う磁気ディスク装置において、記録用ヘッドと再生用ヘッドの位置ずれ量に応じた量だけオフセットして配置している記録用と再生用の２つのアドレス部を位置ずれなく読み取り、記録時と再生時においてそれぞれ位置決め位置を変える手段、もしくは記録用ヘッドと再生用ヘッドの位置ずれ量のほぼ１／２オフセットして配置しているアドレス部を読み取り、記録時と再生時においてそれぞれ位置決め位置を変える手段、もしくは奇数トラックと偶数トラックとでアドレス部の位置をずらし、かつそれぞれのアドレス部の幅を記録トラックの幅よりも広くして、記録用ヘッドと再生用ヘッドの位置ずれ量を吸収し得るアドレス部を読み取り、記録時と再生時においてそれぞれ位置決め位置を変える手段を少なくとも備えたことを特徴とする磁気ディスク装置。
【請求項５】
　請求項４において、各トラック領域ごと、もしくは所定のトラック領域ごとに、ロータリ型アクチュエータにより生ずるヨー角（偏角）およびその製作誤差に応じた位置ずれ量だけアドレス部をずらせて配置し、記録時と再生時において上記の量に応じた位置ずれ量だけ相対的に位置決め位置を変える手段を少なくとも備えたことを特徴とする磁気ディスク装置。
【請求項７】
　請求項５において、記録用ヘッドと再生用ヘッドの位置ずれ量（ΔＸ）を、信号を記録したヘッド位置を基準（Ｘ＝０）にして、ヘッド位置（Ｘ）を変えながら再生を行い再生信号の変化量をもとに、記録用ヘッドと再生用ヘッドの位置ずれ量（ΔＸ）を求める手段を少なくとも備えたことを特徴とする磁気ディスク装置。
【請求項１２】
　請求項７において、位置ずれ量を求める操作はディスク装置の所定の少数のトラックについてのみ行い、その他の各トラックについての位置ずれ量は上記少数のトラックで得られた位置ずれ量をもとに関数近似することにより求める手段を少なくと備えたことを特徴とする磁気ディスク装置。
【請求項１３】
　請求項１２において、関数近似による各トラックの位置ずれ量の算出はディスク装置の起動時に行い、以後のシーク時には上記算出した位置ずれ量の情報に基づいてデータ記録時とデータ再生時でヘッドの位置決め目標位置を変える手段を少なくと備えたことを特徴とする磁気ディスク装置。」（公報の特許請求の範囲抜粋）
　（イ）「（実施例）　（中略）図５は、本発明の磁気デイスク装置の概略構成の一例を示す模式図であつて、まず本発明の磁気ディスク装置の構成について説明する。図において、ディスクコントロ−ラ（ＤＫＣ）１０を、磁気デイスク装置に搭載しているものと、ＤＫＣ１０を外部に持つものとがある。本発明は、記録時と再生時とで記録用ヘッドと再生用ヘッドの位置決め位置を変える方式である（中略）。中央制御部（ＣＰＵ）９から、記録もしくは再生の命令がＤＫＣ１０に送られると、ＤＫＣ１０は、目的のトラックに位置決め回路１２、ボイスコイルモ−タ（ＶＣＭ）８を介して、複合ヘッド６を移動し、その後、複合ヘッド６、Ｒ（再生）／Ｗ（記録）回路１１を介して、目的のアドレスを検索し、記録あるいは再生を行う。この一連の動作は、従来の磁気ディスク装置そのものであるが、本発明では、複合ヘッド６を用いることから、次に示すような位置補正手段が付加されている。その１つは、トラックごとに再生時あるいは記録時にオフセットする量を記憶させたオフセットテ−ブル１３を設け、記録時あるいは再生時に、このオフセットテ−ブル１３を基にしてオフセット操作を行う。もう１つは、記録時あるいは再生時にオフセットを行った時においても、アドレス検出時のエラ−が増大しないように、アドレス部を記録用と再生用に分離してオフセットに対応させて、あらかじめずらしていることである。トラック毎にオフセットする目的は、ロ−タリ型アクチュエ−タの場合、ヘッドが回動する関係から、トラックに対してヨ−角が生じ、記録用ヘッドと再生用ヘッドのトラックに対する位置関係が変わるためである。その様子を、図６に示す。図６（ａ）は、ヨ−角がない場合であり、図６（ｂ）は、θだけヨ−角が生じた場合を示す。図から明らかなように、記録ヘッド（Ｗ）５と再生ヘッド（Ｒ）４のヨ−角による位置ずれ量は、記録用ヘッドと再生用ヘッド間の距離をＨとすると、ヘッドの位置ずれ量（δ）は、　δ＝Ｈ・ｓｉｎ（θ）の関係がある。また実際には、製作時に記録用ヘッド中心と再生用ヘッド中心の位置合わせ誤差（ε）が入るので、ヘッドの位置ずれ量（δ）は、δ＝Ｈ・ｓｉｎ（θ）＋ε・ｃｏｓ（θ）となり、これが各ヨ−角に対するオフセット量になる。（後略）」（公報段落８）
　（ウ）「〈実施例１〉　次に、本発明の磁気ディスクに設けるアドレス（ＩＤ）部について、図１を用いて説明する。図１は、トラックフォ−マットを示す模式図である。トラックは、いくつかのセクタに分割されており、各セクタには、ギャプ、ＩＤ部２、および定められた長さのデ−タ部３が書き込まれている。図１では、セクタサーボ方式であるためサーボ信号部１も記録されている。（後略）」（公報段落９）
　（エ）「〈実施例３〉　図３に示すごとく、トラックに対しては１つのＩＤ部２であるが、奇数トラックと偶数トラックとでＩＤ部２の位置を変え、かつ、各ＩＤ部２を幅広く書き込んでいる。ＩＤ部２の幅を広くすることにより、記録用ヘッドと再生用ヘッドの位置ずれ量を吸収している。（後略）」（公報段落１１）
　（オ）「〈実施例４〉　本実施例においては、記録用ヘッドと再生用ヘッドの位置ずれ量を求める方法の例と得られた位置ずれ量の使用法についての例を述べる。例えば、記録用ヘッドと再生用ヘッドとの位置ずれ量を、ＳＥＭ（走査型電子顕微鏡）等で直接測定することもできるが、物理的形状と再生領域が完全に一致するとは限らないので、図４に示すごとく、再生した出力から位置ずれ量を求めるのがより好ましい。図において、再生用ヘッド（Ｒ）４と記録用ヘッド（Ｗ）５とが、ある位置ずれ量をもって配置されているとき、記録した位置（Ｘ＝０）を基準に、ヘッド位置（Ｘ）を変えながら再生を行い、その再生出力（Ｖ）と、ヘッド位置（Ｘ）の関係を求める。そして、その出力の最大値からある一定値（ΔＶ）だけ低い出力点Ａ、Ｂを求め、それらの位置ＸＡ、ＸＢから位置誤差（ΔＸ）の値を、（ＸＡ＋ＸＢ）／２として求める。（中略）　これら方法を用い各トラック、あるいは複数のトラックから構成されるトラック領域ごとに、ヨー角に応じたヘッドの位置ずれ量（補正量）を求めることができる。これらの方法は、複合ヘッドをディスク装置に実装した状態でも各トラックでの位置ずれ量が求められるので、例えばサ−ボ情報の記録時（サーボライト時）に自動的に位置ずれ量を求めることにより、生産性の向上をはかることが可能となる。（中略）なお、本実施例の方法で求めた各トラック、あるいは複数のトラックから構成されるトラック領域ごとのヨー角に応じたヘッドの位置ずれ量（補正量）は、あらかじめオフセットテーブル１３（図５）に格納しておくことにより、アクセス命令実行時に直ちに記録時の位置ずれ補正量の情報を得ることができる。（中略）　一方、図４に示したような記録用ヘッドと再生用ヘッドとの位置ずれ量の測定は必ずしもすべてのトラックについて行う必要はない。例えば、ディスク装置の最内周部のトラックと最外周部のトラックなど少数のトラックについて測定を行い、その他の各トラックの位置ずれ量はこれらの測定値をもとに関数近似することによって求めることも可能である。関数近似の例として、直線近似や既に述べた　δ＝Ｈ・ｓｉｎ（θ）＋ε・ｃｏｓ（θ）　の関係式があり、最小２乗法などの計算法を併用することにより、より精度の高い関数近似が可能である。このような関数近似による位置ずれ量の補間を用いることにより、位置ずれ量測定に要する時間を大幅に短縮することが可能となる。（中略）　他の方法として、この関数近似による各トラックでの位置ずれ量の算出操作をディスク装置の起動時に行ってオフセットテーブルを作製することも可能である。起動時に上記の操作を行うことにより、オフセットテーブルの情報を記憶するための不揮発性の記憶容量を低減することが可能となる。以上の実施例において述べたごとく、本発明は複合ヘッドの位置決めにおいて、記録時、再生時の位置決め位置を変えることにより、装置のスループットを低下させることなく複合ヘッドで生じるＩＤ部の位置ずれ量を、軽減もしくは除去する方法を提供するものである。（後略）」（公報段落１２）
　
３　対比・判断
（１）対比
　本願発明と引用例１に記載された発明とを対比する。
　引用例１には、上記２（ア）に摘示した記載事項によれば、
「記録用ヘッドと再生用ヘッドを分離して構成した複合ヘッドを使用して磁気記録、再生を行う磁気ディスク装置において、
　アドレス部を読み取り、記録時と再生時においてそれぞれ位置決め位置を変える手段を備え、
　上記位置決め位置を変える手段として、各トラック領域ごと、もしくは所定のトラック領域ごとに、ロータリ型アクチュエータにより生ずるヨー角（偏角）およびその製作誤差に応じた位置ずれ量だけアドレス部をずらせて配置し、記録時と再生時において上記の量に応じた位置ずれ量だけ相対的に位置決め位置を変える手段を備え、
　記録用ヘッドと再生用ヘッドの位置ずれ量（ΔＸ）を、信号を記録したヘッド位置を基準（Ｘ＝０）にして、ヘッド位置（Ｘ）を変えながら再生を行い再生信号の変化量をもとに、記録用ヘッドと再生用ヘッドの位置ずれ量（ΔＸ）を求める手段を備え、
　上記位置ずれ量を求める手段は、位置ずれ量を求める操作は、ディスク装置の所定の少数のトラックについてのみ行い、その他の各トラックについての位置ずれ量は上記少数のトラックで得られた位置ずれ量をもとに関数近似することにより求める手段であって、
　関数近似による各トラックの位置ずれ量の算出はディスク装置の起動時に行い、以後のシーク時には上記算出した位置ずれ量の情報に基づいてデータ記録時とデータ再生時でヘッドの位置決め位置を変える手段を備える磁気ディスク装置。」
　の発明が記載されている。
　
　引用例１に記載された発明の磁気ディスク装置は、トラックに対してヨー角が生じ、記録用ヘッドを再生用ヘッドのヨー角による位置ずれ量と、製作時に記録用ヘッド中心と再生用ヘッド中心の位置合わせ誤差による位置ずれ量とを加えたヘッドの位置ずれ量を、オフセット量とするものであり（上記２（イ）参照）ので、引用例１に記載された発明の「位置ずれ量」は、本願発明の「オフセット量」に相当している。
　引用例１に記載された発明は、「記録用ヘッドと再生用ヘッドを分離して構成した複合ヘッドを使用して磁気記録、再生を行う磁気ディスク装置」であって、ロータリ型アクチュエータを備え、ヘッドが回動する関係からトラックに対してヨー角が生じるものである（上記２（イ）参照）ので、本願発明の「基端側を回転自在に支持された支持アームの先端に再生ヘッドと記録ヘッドを別個に設け、上記支持アームの回転で上記再生ヘッドと上記記録ヘッドをディスクの略半径方向に移動する」構成を備えている。
　引用例１に記載された発明は、サーボ信号部の記録された磁気ディスクを記録再生する従来の磁気ディスク装置の構成を備えるものである（上記２（ウ）参照）ので、引用例１に記載された発明は、本願発明の「ディスクに記録されたサーボ信号を再生ヘッドにてピックアップし、このピックアップしたサーボ信号に応じて支持アームの回転位置を移動してトラックサーボを行う」構成を備えていることは明らかである。
　引用例１に記載された発明は、記録用ヘッドと再生用ヘッドの位置ずれ量（ΔＸ）を、信号を記録したヘッド位置を基準（Ｘ＝０）にして、ヘッド位置（Ｘ）を変えながら再生を行い再生信号の変化量をもとに、記録用ヘッドと再生用ヘッドの位置ずれ量（ΔＸ）を求めることを、少数のトラックについてのみ行い、その他の各トラックについての位置ずれ量は上記少数のトラックで得られた位置ずれ量をもとに関数近似することにより求めるので、本願発明の「少なくとも１箇所の半径位置で」、「再生ヘッドを半径方向に所定量オフセットさせながら」「測定することで」、「上記半径位置における再生ヘッドの書き込み／読み出しのオフセット量を検出するオフセット検出手段」と、「上記オフセット検出手段により得られた複数のオフセット値を直線近似して得られた値に基づいてオフセット値を求めるオフセット演算手段」に相当する構成を備えている。
　引用例１に記載された発明は、「記録時と再生時においてそれぞれ位置決め位置を変える手段」を備えており、該手段についての具体的な記載（上記２（イ））によれば、位置補正手段が、記録時あるいは再生時に、トラック毎のオフセット量に基づきオフセット操作を行う手段を有しているので、本願発明の「書き込み又は読み出し時のトラック位置を補正するトラック位置補正手段」に相当する手段を備えている。
　
　してみると、本願発明と引用例１に記載された発明は、
　「基端側を回転自在に支持された支持アームの先端に再生ヘッドと記録ヘッドを別個に設け、上記支持アームの回転で上記再生ヘッドと上記記録ヘッドをディスクの略半径方向に移動し、このディスクに記録されたサーボ信号を上記再生ヘッドにてピックアップし、このピックアップしたサーボ信号に応じて上記支持アームの回転位置を移動してトラックサーボを行う磁気ディスク装置において、
　少なくとも１箇所の半径位置で、上記再生ヘッドを半径方向に所定量オフセットさせながら読出して測定することで、上記半径位置における再生ヘッドの書き込み／読み出しのオフセット量を検出するオフセット検出手段と、
　上記オフセット検出手段により得られた複数のオフセット値を直線近似して得られた値に基づいてオフセット値を求めるオフセット演算手段と、
　上記オフセット演算手段の演算結果を基に書き込み又は読み出し時のトラック位置を補正するトラック位置補正手段と
　を有する磁気ディスク装置。」
　である点で一致しており、以下の点で相違している。
　
（相違点）　「少なくとも１箇所の半径位置で、再生ヘッドを半径方向に所定量オフセットさせながら読出して、上記半径位置における再生ヘッドの書き込み／読み出しのオフセット量を検出するオフセット検出手段」が、本願発明では、「再生ヘッドの出力信号を基に少なくとも１箇所の半径位置でＣＲＣ符号付きの特定のディジタル信号の書き込みを行なったのち、上記再生ヘッドを半径方向に所定量オフセットさせながら上記データを読出してＣＲＣエラーを測定することで」検出を行うのに対し、引用例１に記載された発明では、信号を記録したヘッド位置を基準にして、ヘッド位置を変えながら再生を行い再生信号の変化量をもとに、オフセット量を検出する点。
　
（２）相違点についての判断
　引用例１に記載された発明では、オフセット量の検出を、記録用ヘッドと再生用ヘッドの位置ずれ量（ΔＸ）を、信号を記録したヘッド位置を基準（Ｘ＝０）にして、ヘッド位置（Ｘ）を変えながら再生を行い再生信号の変化量をもとに、求めるもので、具体的には再生出力の変化を測定しているが、記録されたトラックの位置から再生ヘッドがずれているか否かの判断を、ディスクに書き込んだデジタル信号を読み出したときのエラーの測定で行うことは、周知（例えば、特開平２−２８２９８１号公報、特開平５−１５１７２７号公報等参照）であるから、磁気ディスク装置においてエラー検出のための普通の符号であるところのＣＲＣ符号付きのディジタル信号の書き込みを行なったのち、再生ヘッドを半径方向に所定量オフセットさせながらデータを読出してＣＲＣエラーを測定することで、位置ずれを検出することは、当業者が容易に想到しうることである。
　請求人は、本願発明は、デジタル的なＣＲＣ符号のエラーに基いてオフセット量を求める方法であるので正確なオフセット量を求める点において優れていると、本願発明の効果を主張しているが、デジタル的な処理をするので正確であるという効果は、引用例１に記載された発明及び上記周知の技術から、当業者であれば予測することができる程度のものにすぎず、格別顕著なものではない。
　
４　むすび
　したがって、本願発明は、本願出願前に頒布された引用例１に記載された発明に基いて当業者が容易に発明をすることができたものであるから、特許法第２９条第２項の規定により特許を受けることができない。他の請求項を検討するまでもなく、本願は拒絶すべきものである。
　よって、結論のとおり審決する。